(57)【特許請求の範囲】
【請求項１】
外カムと該外カム内で回転する回転カム及び該回転カムを軸方向に移動させるノックカムを含む回転カム機構によりリフィールを出没させるようにした筆記具において、上記外カムをカム収納体の内面に形成し該カム収納体内に回転カムとノックカムを組み込み上記カム収納体の外周に係止部を形成したカムセットを設け、該カムセットを収納する中本体の周面に揺動可能に爪片を形成しかつ内面に上記カム収納体の前端に当接するよう内方突起を形成し、該爪片の先端に外方に突出する隆起部と内方に突出可能な掛止部を設け、該中本体の外側に外本体を装着して上記爪片を内方に押圧し、内方に突出した上記掛止部を上記係止部に係止させて上記カムセットを中本体内に固定したことを特徴とする筆記具。
【請求項２】
上記外本体は、上記中本体の後端に形成した径大部と該中本体の先端に取り付けた口金により挟着されている請求項１に記載の筆記具。
【請求項３】
上記外本体は上記中本体の爪片の外周に対応する部位から後方に装着されている請求項１に記載の筆記具。
【発明の詳細な説明】
【０００１】
【発明の属する技術分野】
本発明は、回転カム機構によりリフィールを軸筒の先端から出没させるようにした筆記具に関し、特に該回転カム機構を軸筒内に容易かつ確実に組み込みできるようにした筆記具に係るものである。
【０００２】
【従来の技術】
筆記具の回転カム機構は、実公昭６３−３７２７０、実開昭６４−１７７９０、実開平４−８９３９１、実公平４−２３０２８、実公平７−４５３５５その他に示されているように、通常外カムと回転カムとノックカムで構成されている。上記外カムは環状に配列された縦溝を有し軸筒内に固定的に設けられ、上記回転カムは外カムの縦溝に係合する突起と該外カムの縦溝の先端に形成したカム面に係合するカム面を有し回転可能に設けられ、上記ノックカムは上記外カムの縦溝に係合する突起と上記回転カムのカム面に係合するカム面を有し軸方向に移動可能に設けられている。そして、公知のように、リフィールを弾性部材で後方に付勢し、上記ノックカムを該弾性部材に抗して軸方向に前進させると、上記回転カムは回転して前進位置及び後退位置に交互に移動し、それにより該回転カムの前方に設けた上記リフィールは、筆記先端が軸筒の先部に設けた口金から突出したり、口金内方に没入したりする。
【０００３】
回転カム機構は、一般に上記のように構成されているが、外カムを軸筒内に固定的に形成する構成として軸筒と一体的に形成せずに別体に設けたカム収納体の内面に外カムを形成し、該カム収納体を軸筒内に挿入して固定する構成が種々知られている。従来、そのようなカム収納体を軸筒内に固定するために、軸筒内にアンダーカットにより凹部を設けて収納体を係合させるようにしたり、ねじ着したり、圧入したり、金属パーツを取り付けて圧入したりしている。
【０００４】
しかし、上述の如きアンダーカットによる凹部やねじ着、圧入等では白化や割れ等の不具合が発生しやすく、その上組み立て作業も面倒である場合が多い。
【０００５】
【発明が解決しようとする課題】
本発明の解決課題は、上記のような回転カム機構を簡単かつ確実に軸筒内に設けることができるにようにした筆記具を提供することである。
【０００６】
【課題を解決するための手段】
本発明によれば、外カムと該外カム内で回転する回転カム及び該回転カムを軸方向に移動させるノックカムを含む回転カム機構によりリフィールを出没させるようにした筆記具において、上記外カム内に回転カムとノックカムを組み込んだカムセットを設け、該カムセットを収納する中本体の周面に揺動可能に爪片を形成し、該爪片の先端に外方に突出する隆起部と内方に突出可能な掛止部を設け、該中本体の外側に外本体を装着して上記爪片を内方に押圧し、内方に突出した上記掛止部により上記カムセットを中本体内に固定したことを特徴とする筆記具が提供され、上記課題が解決される。
【０００７】
【発明の実施の形態】
回転カム機構の具体的構成としては、従来より種々の構造が提案されているが、上述したように基本的には、外カムと回転カムとノックカムで構成され、図１にはその一例が示されている。図において、外カム（１）は、外周に肩部を設けてこれを係止部（２）としたカム収納体（３）内に形成され、深さの相違する縦溝（４）を環状に配置し、該縦溝（４）の先部にはカム面（５）が形成されている。また、回転カム（６）は、上記縦溝（４）に係合する突起（７）と前進位置に移動した際上記カム面（５）と係合するカム面（８）を有し、上記カム収納体（３）内に回転可能に挿入されている。ノックカム（９）は、上記縦溝（４）に係合する突起(10)を有し、先部には上記回転カム（６）のカム面（８）と係合するカム面(11)を有している。
【０００８】
そして、上記回転カム（６）及びノックカム（９）は、上記カム収納体（３）の前方から該収納体内に組み込まれ、カムセット(12)が形成される。この際、上記回転カム（６）等が前方に簡単に抜け出さないよう適宜の突部（図示略）を上記収納体内に形成することができ、またカム収納体（３）から後方に突出するノックカム（９）の軸部には、図３に示すようにノック(13)が圧入等により嵌着されている。
【０００９】
上記カムセット(12)を収納する中本体(14)は、プラスチック材料若しくは金属材料で作られ、図１等においては外本体(15)よりも少し長い筒状に形成され、周面の一部に略コ字状の切溝(16)を形成して１つ若しくは複数の爪片(17)を弾性的に揺動可能に設けてある。該爪片(17)の先端には中本体の周面より外方に少し突出する隆起部(18)が形成され、内方には中本体内に突出可能な掛止部(19)が設けられている。また、該中本体(14)の内面にはリブ(20)等の内方突起が形成され、前端及び後端にはねじ(21),(22) が設けられ、後部には径大部(23)が設けられている。
【００１０】
外本体(15)は、プラスチック材料、エラストマー材料、金属材料、木材料等で作られ、上記中本体(14)の外周にほぼ内接する内径を有し、後部に設けたねじ(24)を上記ねじ(22)にねじ着することにより上記中本体(14)に連結されているが、圧入、凹凸係合その他の適宜の連結手段により連結することもできる。
【００１１】
而して、上記筆記具を組み立てるには、先ず外カム（１）、回転カム（６）及びノックカム（９）を組み込んでカムセット(12)を形成し、該ノックカムの後部にノック(13)を嵌着する。次にこのカムセット(12)を中本体(14)の後方から該中本体内に挿入し、先端を上記リブ(20)等の内方突起に当接させる。そして、該中本体(14)の前方から外本体(15)をかぶせて中本体に連結すると、上記爪片(17)が内方に突出して上記掛止部(19)がカム収納体（３）の係止部（２）に係合し、該カムセット(12)は中本体(14)内に固定される。その後、ばね(25)を装着したボールペンリフィール等のリフィール(26)を中本体(14)内に挿入し、口金(27)を中本体(14)の前端に取り付ければよい。なお、該口金(27)と中本体(14)の連結は、図に示す実施例ではねじ着によっているが、圧入、凹凸係合等の連結手段によってもよい。また、該口金を中本体に取り付けることにより上記外本体(15)を該口金(27)と中本体(14)の径大部(23)間で挟着固定し、上記ねじ(22),(24) を省略するようにしてもよい。
【００１２】
上記実施例においては、上記爪片(17)の掛止部(19)をカム収納体（３）の係止部（２）に係合させているが、該係止部は種々の形状、構造等にすることができ、該収納体（３）の周面に凹凸溝を設けて掛止部を係合させるようにしたり、掛止部が入り込むような縦溝を設けてカムセットの固定と回り止めをするようにしてもよい（図示略）。
【００１３】
上記実施例においては、外本体を中本体のほぼ全長にかぶせるようにしたが、上記爪片を設けた中本体の外周に対応する部位から後方の部分だけに外本体をかぶせるようにしてもよい。この場合は、例えば、図５に示すように中本体(14)に段部(28)を形成し、該段部(28)に当るまで外本体(15)を中本体(14)の後方から挿入して凹凸係合(29)やねじ係合等により中本体に連結すればよい。
【００１４】
【発明の効果】
本発明は上記のように構成され、外カム、回転カム及びノックカムを組み込んでカムセットを形成し、該カムセットを中本体内に挿入し、該中本体に外本体をかぶせることにより上記中本体に設けた爪片を内方に移動させ上記カムセットを中本体内に固定するようにしたので、従来の回転カム機構の固定方法のようにアンダーカットや圧入方法によらずに外本体を中本体にかぶせるだけで簡単かつ確実にカムセットを固定でき、白化や割れ等の不都合を生じるおそれもなく、組み立ても容易であり、経済的に得ることができる。
【図面の簡単な説明】
【図１】本発明の一実施例を示す分解斜視図。
【図２】カムセット部分の分解斜視図。
【図３】組み立てた状態の半断面図。
【図４】一部を拡大して示し、（Ａ）は中本体の後部の正面図、（Ｂ）は該中本体に軸筒をかぶせた状態の半断面図。
【図５】他の実施例を示す半断面図。
【符号の説明】
１  外カム
３  カム収納体
６  回転カム
９  ノックカム
12  カムセット
13  ノック
14  中本体
15  外本体
17  爪片
27  口金
【図１】
0003757395.tif 000002
【図２】
0003757395.tif 000003
【図３】
0003757395.tif 000004
【図４】
0003757395.tif 000005
【図５】
0003757395.tif 000006